(57)【要約】      （修正有）【課題】周知のカーソルポインティングデバイスがマイクロスイッチを利用して揺動計量制御機能を達成する構造設計を改善し、光検出装置を揺動計量制御機能の構造設計となし、これにより構造体積の縮小、構造安定性、信頼性及び正確性の向上の多重の機能を達成するライトコントロール式揺動計量コントローラの提供。【解決手段】揺動輪機構１、ベース２、揺動ロッド３、遮光片４及び光検出装置５を具えている。該揺動輪機構１中には回転輪機構１０が設けられ、それは回転計量制御の機能を有する。該揺動輪機構１に前向き、後ろ向きにそれぞれ延伸された枢軸１１が設けられ、該枢軸１１は揺動輪機構１の前方と後方に設置されたベース２の係止溝２１内に枢支され、全体の揺動輪機構１が揺動と回転計量制御の機能を具備する。【選択図】図１
0003107215.tif 000002
【実用新案登録請求の範囲】
【請求項１】
ライトコントロール式揺動計量コントローラにおいて、揺動輪機構、ベース、揺動ロッド、遮光片及び光検出装置を具え、該揺動輪機構に前向き、後ろ向きにそれぞれ枢軸が設けられ、並びに該枢軸が、前後のベースの係止溝内に枢支され、揺動輪機構とそれに連設された揺動ロッドと遮光片が同期揺動の機能を具備し、該遮光片は光検出装置中に設置され、並びに揺動により光検出装置の光信号を制御し、該光検出装置は遮光片が制御する光信号を検出し、並びに対応するエンコード信号を出力し、光検出装置が出力するエンコード信号を判読することで、揺動計量制御の機能を達成することを特徴とする、ライトコントロール式揺動計量コントローラ。
【請求項２】
請求項１記載のライトコントロール式揺動計量コントローラにおいて、光検出装置がＬＥＤとホトトランジスタユニットが並列に対応する方式で基板上に設置されてなり、該ホトトランジスタユニットが二つのホトトランジスタを具えたことを特徴とする、ライトコントロール式揺動計量コントローラ。
【考案の詳細な説明】
【技術分野】
【０００１】
本考案はライトコントロール式揺動計量コントローラに係り、特に揺動動作を利用して遮光片を揺動させ光検出装置の光信号を制御し、該光検出装置が該遮光片の揺動により遮断或いは出力されるエンコード信号を検出し、該エンコード信号を判読することで揺動計量制御の機能を達成する、ライトコントロール式揺動計量コントローラに関する。
【背景技術】
【０００２】
周知のポインティングデバイスは、カーソル移動機能、クリック機能及びスクリーンのページの縦向きスクロール機能を具備する。現在最新設計のポインティングデバイスは上述の周知の機能のほか、スクリーンのページの横向きと縦向きのスクロール機能を有する。
【０００３】
図７は最新設計のマウスポインティングデバイスの揺動と回転計量制御の構造図である。そのうち、揺動輪機構（Ａ２）は揺動制御と回転計量制御の機能を具備する。図示されるように、カーソルポインティングデバイスの載置機構（Ａ１）中の揺動輪機構（Ａ２）は、外フレーム（Ａ３）の左右に向けて延伸され突出する一対の制御押し棒（Ａ４）を具え、並びに載置機構（Ａ１）の左右の壁にマイクロスイッチ（Ａ５）が設置され、揺動輪機構（Ａ２）の左右の揺動動作により、制御押し棒（Ａ４）が載置機構（Ａ１）の左右の壁のマイクロスイッチ（Ａ５）をトリガすることで、揺動計量制御の機能を達成する。
【０００４】
図７に示されるように、揺動輪機構（Ａ２）の回復構造は、クリップバネ（Ａ６）及び中心回復片（Ａ６１）が組み合わされてなり、その原理はクリップバネ（Ａ６）が具備する挟持弾性力により、中心回復片（Ａ６１）をもとの位置に復帰させることにある。これにより、揺動輪機構（Ａ２）が左右に揺動する時、クリップバネ（Ａ６）が反対方向の弾力を発生し、この反対方向の弾力を利用して中心回復片（Ａ６１）が揺動輪機構（Ａ２）を反対に押してもとの位置に回復させ、回復機能を達成する。
【０００５】
上述の周知の「マウス」型のポインティングデバイスの揺動輪機構（Ａ２）の設計は、以下のような多くの欠点を有している。
１．制御押し棒を利用してマイクロスイッチを動作させるが、このため制御押し棒とマイクロスイッチの間に適宜間隙を設置して揺動制御に供する必要があり、設置する間隙が小さ過ぎると、揺動操作に誤動作が発生しやすく、間隙が大き過ぎると揺動操作遅延の問題が発生しうる。
２．第１点から派生する問題として、比較的大きな揺動力がなければマイクロスイッチを動作させられず、このため操作上、使用者が操作により疲労し不適な感覚を有する問題がある。
３．第２点から派生する問題として、マイクロスイッチは機械式動作のため使用寿命が短い問題がある。即ち操作により摩損し動作不良或いは故障を発生しやすく、製品の使用寿命が短くなる。
４．第３点から派生する問題として、マイクロスイッチを揺動計量の制御構造とする構造は複雑で、生産組立に時間と手間がかかり、このため製造コストが高くなる問題がある。
５．第４点から派生する問題として、周知の揺動計量コントローラは、マイクロスイッチを制御アセンブリとし、並びに揺動輪機構の左右側より延伸された押し棒による制御を行なうが、その設計方式は構造体積が大きくなり過ぎ、小サイズのポインティングデバイスへの応用は困難である問題がある。
【考案の開示】
【考案が解決しようとする課題】
【０００６】
上述の周知のポインティングデバイスの揺動計量コントローラの構造の欠点を鑑み、本考案は、それを解決した一種のライトコントロール式揺動計量コントローラを提供するものである。
【０００７】
即ち、本考案は一種のライトコントロール式揺動計量コントローラを提供し、それは、ポインティングデバイスにライトコントロール式揺動計量制御の機能を達成させ、これによりスクリーンのページの横向きスクロール機能を達成する装置であるものとする。
【課題を解決するための手段】
【０００８】
請求項１の考案は、ライトコントロール式揺動計量コントローラにおいて、揺動輪機構、ベース、揺動ロッド、遮光片及び光検出装置を具え、該揺動輪機構に前向き、後ろ向きにそれぞれ枢軸が設けられ、並びに該枢軸が、前後のベースの係止溝内に枢支され、揺動輪機構とそれに連設された揺動ロッドと遮光片が同期揺動の機能を具備し、該遮光片は光検出装置中に設置され、並びに揺動により光検出装置の光信号を制御し、該光検出装置は遮光片が制御する光信号を検出し、並びに対応するエンコード信号を出力し、光検出装置が出力するエンコード信号を判読することで、揺動計量制御の機能を達成することを特徴とする、ライトコントロール式揺動計量コントローラとしている。
請求項２の考案は、請求項１記載のライトコントロール式揺動計量コントローラにおいて、光検出装置がＬＥＤとホトトランジスタユニットが並列に対応する方式で基板上に設置されてなり、該ホトトランジスタユニットが二つのホトトランジスタを具えたことを特徴とする、ライトコントロール式揺動計量コントローラとしている。
【考案の効果】
【０００９】
本考案は以下のような長所を有している。
１．本考案の設計による揺動計量コントローラは、左右方向の制御押し棒と操作のための間隙を設置する必要がなく、これにより、操作制御が安定し、信頼性を有し、順調であり、誤動作や遅延の問題を発生しない。
２．本考案は周知のマイクロスイッチの代わりに光検出装置を揺動計量制御の部品として使用しており、大幅に揺動の操作力を減らし、使用者が操作により疲労を覚えることがない。
３．本考案は周知のマイクロスイッチの代わりに光検出装置を揺動計量制御の部品として使用しており、その制御方式は機械式から電子式に改められ、大幅に製品の安定性、信頼性、正確性及び使用寿命を向上することができる。
４．本考案は周知のマイクロスイッチの代わりに光検出装置を揺動計量制御の部品として使用しており、その構造設計は簡単で有効であり、大幅に生産組立の時間と手間を減らすことができ、製造コストを減らせ、製品の競争力を高めることができる。
５．本考案は周知のマイクロスイッチの代わりに光検出装置を揺動計量制御の部品として使用しており、大幅に構造体積を減らせ、これにより小サイズのポインティングデバイスへの応用が可能である。
【００１０】
総合すると、本考案は簡単有効な構造設計により周知の揺動計量制御機能の構造が有する各種の欠点及び問題を解決し、並びに更に良好な多重の機能を提供し、業界或いは使用者のいずれにとっても有益で産業上の利用価値を有する。
【考案を実施するための最良の形態】
【００１１】
本考案の構造設計は指標器装置中に適用され、揺動計量制御の機能に使用され、図１に示されるように、本考案の構造は、揺動輪機構、ベース、揺動ロッド、遮光片及び光検出装置を具え、該揺動輪機構は回転輪機構を具えて回転計量制御の機能を具えている（揺動輪機構は本考案の請求範囲でないため、説明は省略する）。揺動輪機構に前向き、後ろ向きにそれぞれ枢軸が設けられ、並びに該枢軸が、前後のベースの係止溝内に枢支され、全体の揺動輪機構が揺動と回転計量制御の機能を具備する。揺動輪機構の一つの枢軸は揺動ロッドに連設され、揺動ロッド下方に遮光片が連設されて揺動輪機構と同期に揺動する。遮光片の揺動により光検出装置の光信号が遮断されるか通過させられる。光検出装置が遮光片の揺動動作を検出し、並びに対応するエンコード信号を出力し、該エンコード信号を判読して揺動計量制御の機能を達成する。
【実施例１】
【００１２】
図１に示されるように、本考案の構造は、揺動輪機構１、ベース２、揺動ロッド３、遮光片４及び光検出装置５を具えている。該揺動輪機構１中には回転輪機構１０が設けられ、それは回転計量制御の機能を有する（本考案の請求範囲ではないため説明を省略する）。該揺動輪機構１に前向き、後ろ向きにそれぞれ延伸された枢軸１１が設けられ、該枢軸１１は揺動輪機構１の前方と後方に設置されたベース２の係止溝２１内に枢支され、全体の揺動輪機構１が揺動と回転計量制御の機能を具備するものとされている。
【００１３】
図１に示されるように、揺動輪機構１の枢軸１１に揺動ロッド３が延設され、該揺動ロッド３の下方に遮光片４が連設されて、揺動輪機構１と同期に揺動するものとされる。該遮光片４は光検出装置５のなかに設置されて、光検出装置５の光信号制御機能を具備する。
【００１４】
図２に示されるように、光検出装置５はＬＥＤ５１とホトトランジスタユニット５２が並列方式で基板５３の上に固定されてなる。
【００１５】
図３に示されるように、遮光片４が光検出装置５の回復位置に位置する時、ＬＥＤ５１の発射する光信号は完全に遮光片４に遮断され、光検出装置５は光の遮断信号を受け取る。図４に示されるように、遮光片４が光検出装置５中で揺動する時、ＬＥＤ５１の発射する光信号は遮光片４の揺動により制御され、これにより光検出装置５が光の変化信号を検出し遮光片４の揺動信号をキャプチャする。
【００１６】
図５には光検出装置５の回路構造が示される。そのうち、ホトトランジスタユニット５２は二つのホトトランジスタＴａ、Ｔｂで構成される。ＬＥＤ５１は常に光信号を発射し、並びに遮光片４の揺動（ＸｒとＸｌがその揺動方向とされる）により変化を発生する。ホトトランジスタユニット５２は光の変化信号を検出し、並びにトランジスタＱａとＱｂを通してエンコード信号を出力して揺動計量制御機能の判断信号となす。
【００１７】
図６に示されるように、上方のＱａとＱｂ信号は遮光片４がＸｌ方向に揺動する時のエンコード信号であり、下方のＱａとＱｂ信号は遮光片４がＸｒ方向に揺動する時のエンコード信号である。時間状態（Ｔｉｍｅ  Ｓｔａｔｕｓ）Ｓ０、Ｓ１、Ｓ２、Ｓ３はそれぞれ遮光片４揺動時のエンコード信号を代表する。時間状態Ｓ０は遮光片４が回復位置にある時のエンコード信号を代表し、Ｓ１は遮光片４の揺動開始時のエンコード信号を代表し、Ｓ２は遮光片４の揺動完成状態時のエンコード信号を代表し、Ｓ３は遮光片４の回復待機時のエンコード信号を代表する。これにより時間状態Ｓ０、Ｓ１、Ｓ２、Ｓ３のエンコード信号を判読することで、揺動計量制御の機能を達成できる。
【００１８】
総合すると、本考案は確実に周知の揺動計量コントローラの構造と機能を改善し、並びに簡単有効な設計により、正確で安定し信頼性があり、低コストの多重機能を獲得し、構造が派生する機能を達成する実用的な創作であり、実用新案登録の要件を具備している。
【図面の簡単な説明】
【００１９】
【図１】本考案の実施例の外観図である。
【図２】本考案の光検出装置の外観図である。
【図３】本考案の揺動ロッドと遮光片の復帰状態時の表示図である。
【図４】本考案の揺動ロッドと遮光片の左向き及び右向き揺動時の表示図である。
【図５】本考案の光検出装置の回路表示図である。
【図６】本考案の光検出装置の時間状態とエンコード信号表示図である。
【図７】周知の揺動計量コントローラの構造表示図である。
【符号の説明】
【００２０】
１  揺動輪機構
１１  枢軸
１０  回転輪機構
２  ベース
２１  係止溝
３  揺動ロッド
４  遮光片
５  光検出装置
５１  ＬＥＤ
５２  ホトトランジスタユニット
５３  基板
Ｔａ、Ｔｂ  ホトトランジスタ
Ｘｒ、Ｘｌ  揺動方向
【図１】
0003107215.tif 000003
【図２】
0003107215.tif 000004
【図３】
0003107215.tif 000005
【図４】
0003107215.tif 000006
【図５】
0003107215.tif 000007
【図６】
0003107215.tif 000008
【図７】
0003107215.tif 000009